【事件の表示】
　特許第３２４７０７８号「入浴剤用白濁剤および入浴剤」の請求項１乃至７に係る特許に対する特許異議の申立てについて、次のとおり決定する。
【結　論】
　訂正を認める。
　特許第３２４７０７８号の請求項１乃至７に係る特許を維持する。
【理　由】
１．手続の経緯
　特許第３２４７０７８号の請求項１乃至７に係る発明は、平成９年１１月２７日（優先権主張　平成８年１２月１２日、平成９年１０月２０日）に特許出願され、平成１３年１１月２日にその特許権の設定登録がなされ、その後、伊藤方策より特許異議の申立てがなされ、取消しの理由が通知され、その指定期間内である平成１４年１２月１３日に訂正請求がなされたものである。
　
２．訂正の適否についての判断
（１）訂正の内容
ア．訂正事項ａ
　特許請求の範囲の請求項１及び請求項５の記載について、「・・・エタノールおよび／または食塩・・・」とあるのを、「・・・食塩またはエタノールおよび食塩・・・」と、特許請求の範囲の請求項４の記載について、「・・・エタノールおよび／または食塩を必須成分とした・・・」とあるのを、「・・・食塩またはエタノールおよび食塩含有・・・」と、それぞれ訂正する。
　
イ．訂正事項ｂ
　特許請求の範囲の請求項４の記載について、「ポリオキシエチレン脂肪酸エステル・・・」とあるのを、「ポリオキシエチレンジ脂肪酸エステル・・・」と訂正する。
　
ウ．訂正事項ｃ
　明細書の段落【０００５】の記載について、
「・・・エタノールおよび／または食塩含有入浴剤用の白濁剤（第１発明）；
・・・（第２発明）；
ポリオキシエチレン脂肪酸エステル（Ａ３）からなる群より選ばれる・・・エタノールおよび／または食塩を必須成分とした入浴剤用の白濁剤（第３発明）；およびこれらの白濁剤のいずれかとエタノールおよび／または食塩を必須成分とする入浴剤（第４発明）である。」とあるのを、
「・・・食塩またはエタノールおよび食塩含有入浴剤用の白濁剤（第１発明）；
・・・（第２発明）；
ポリオキシエチレンジ脂肪酸エステル（Ａ３）からなる群より選ばれる・・・食塩またはエタノールおよび食塩を必須成分とした入浴剤用の白濁剤（第３発明）；およびこれらの白濁剤のいずれかと食塩またはエタノールおよび食塩を必須成分とする入浴剤（第４発明）である。」と訂正する。
　
エ．訂正事項ｄ
　明細書の段落【０００７】及び【０００８】の記載について、「・・・ポリオキシエチレン脂肪酸エステル（Ａ３）からなる群・・・」とあるのを、「・・・ポリオキシエチレンジ脂肪酸エステル（Ａ３）からなる群・・・」と訂正する。
　
オ．訂正事項ｅ
　明細書の段落【００１９】の記載について、「・・・前述の白濁剤とエタノールや食塩を必須成分とする入浴剤である。・・・」とあるのを、「・・・前述の白濁剤と、食塩またはエタノールおよび食塩を必須成分とする入浴剤である。・・・」と訂正する。
　
（２）訂正の目的の適否、新規事項の有無及び拡張・変更の存否
　上記訂正事項ａは、発明を特定する事項である「エタノールおよび／または食塩」をこれに含まれる「食塩またはエタノールおよび食塩」に変更するものであり、上記訂正事項ｂは、発明を特定する事項である「ポリオキシエチレン脂肪酸エステル」をこれに含まれる「ポリオキシエチレンジ脂肪酸エステル」に変更するものであるから、いずれも特許請求の範囲の減縮を目的とした明細書の訂正に該当し、また、いずれの訂正事項も願書に添付された明細書に記載された範囲内のものであり、実質的に特許請求の範囲を拡張又は変更するものではない。
　上記訂正事項ｃ乃至ｅは、上記訂正事項ａ及びｂと整合を図るためのものであるから、明りょうでない記載の釈明を目的とした明細書の訂正に該当し、いずれの訂正事項も願書に添付された明細書に記載された範囲内のものであり、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）特許異議申立ての理由の概要
　特許異議申立人伊藤方策（以下、「申立人」という。）は、請求項１乃至７に係る発明は、甲第１号証に記載された発明であるから、特許法第２９条第１項第３号に規定する発明に該当し特許を受けることができないものであり、また、請求項１乃至５に係る発明は甲第１号証乃至甲第４号証に基づき、請求項６及び７に係る発明は甲第１号証乃至甲第４号証及び周知例に基づき、それぞれ当業者が容易に発明できたものであるから、特許法第２９条第２項の規定により特許を受けることができないものであり、さらに、請求項１乃至７に係る発明は、本件特許に係る出願の日前の他の出願であって本件特許に係る出願後に出願公開されたものの願書に最初に添付した明細書（甲第８号証）に記載された発明と同一であり、特許法第２９条の２の規定により特許を受けることができないものであるから、特許を取り消すべきと主張している。
　
（２）本件の請求項１乃至７に係る発明
　上記２．のとおり訂正が認められるから、本件の請求項１乃至７に係る発明（以下、それぞれ「本件発明１」などという。）は、上記訂正請求に係る訂正明細書の特許請求の範囲の請求項１乃至７に記載された事項により特定されるとおりのものである。
「【請求項１】　ポリオキシエチレンポリオキシプロピレンアルキルエーテル（Ａ１１）およびポリオキシエチレンジステアリン酸エステル（Ａ３１）からなる群より選ばれる１種以上のＨＬＢが９〜１９である化合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であることを特徴とする食塩またはエタノールおよび食塩含有入浴剤用の白濁剤。
　　【請求項２】　ポリオキシアルキレンアルキルエーテル（Ａ１）とポリオキシエチレン脂肪酸エステル（Ａ３）とのＨＬＢが９〜１９である混合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であることを特徴とするエタノールおよび／または食塩含有入浴剤用の白濁剤。
　　【請求項３】　該ポリオキシエチレン脂肪酸エステル（Ａ３）中のポリオキシエチレン部分の分子量が１０００〜５０００で、脂肪酸の炭素数が１２〜２２である請求項２記載の白濁剤。
　　【請求項４】　ポリオキシエチレンジ脂肪酸エステル（Ａ３）からなる群より選ばれる１種以上のＨＬＢが９〜１９である化合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であり、（Ａ３）中のポリオキシエチレン部分の分子量が１０００〜５０００で、脂肪酸の炭素数が１２〜２２である白濁剤であって、６０℃の高温でも安定な食塩またはエタノールおよび食塩含有入浴剤用の白濁剤。
　　【請求項５】　請求項１〜４のいずれか記載の白濁剤と、食塩またはエタノールおよび食塩を必須成分とすることを特徴とする入浴剤。
　　【請求項６】　該エタノールが、米発酵エキスおよび／または米糠発酵エキスに含まれるエタノールである請求項５記載の入浴剤。 　
　　【請求項７】　該エタノールが、薬効エキス抽出液に含まれるエタノールである請求項５記載の入浴剤。」
　
（３）甲各号証記載の発明
　申立人が証拠として提示した甲第１乃至８号証には、それぞれ、以下の発明が記載されている。
ア．甲第１号証（特開平１−２８８３３０号公報）
　親水性の界面活性剤と、油の１種または２種以上と、多価アルコールと、水とを少なくとも含有し、平均粒子径が0.01〜0.15μｍであるマイクロエマルションが記載されており（特許請求の範囲第１項）、親水性の界面活性剤の例として、POEモノオレエート、POEジステアレート、POEジオレエート等のPOE脂肪酸エステル類、POE・POPセチルエーテル、POE・POP２−デシルテトラデシルエーテル、POE・POP水添ラノリン等のPOE・POPアルキルエーテル類が開示されている（第４頁左下欄〜右下欄）。また、当該マイクロエマルションは浴剤に使用できることが記載されている（第１６頁左下欄）。
　
イ．甲第２号証（特公昭５７−２９２１３号公報）
　非イオン界面活性剤を配合した安定な水中油型エマルジョンの製法に関連し、油分、水溶性溶媒、親水性非イオン界面活性剤、水を含む水中油型エマルジョンが記載されており（第１３欄第２２〜２９行）、水溶性溶媒として、エチレングリコール、ジエチレングリコール等の多価アルコール（第９欄第２９〜３９行）が、親水性非イオン界面活性剤として、炭素数８〜３０個よりなる親油基にエチレンオキサイドを15〜120モル付加したもの、又はエチレンオキサイド（15モル以上）とプロピレンオキサイド（1〜30モル）を付加したもの（第６欄第５行〜第７欄第２９行）が、それぞれ開示されている。
　
ウ．甲第３号証（特開昭６３−２２１８３５号公報）
　油性成分、親水性非イオン界面活性剤及び多価アルコールを含む一価アルコール溶液と水とを混合する水中油型エマルジョンの製造方法が記載されており（特許請求の範囲）、親水性非イオン界面活性剤として、高級アルコールや高級脂肪酸に対しエチレンオキサイド2〜60モル付加したもの、高級アルコールや高級脂肪酸に対してプロピレンオキサイド4〜30モル付加させ、さらにエチレンオキサイド1〜30モル付加させたもの等が開示されている（第２頁右上欄〜左下欄）。
　
エ．甲第４号証（辻薦「乳化・可溶化の技術」工学図書株式会社、昭和５１　　年６月２０日発行、第６０頁及び第７５頁）
　比較的安定に存在する乳化粒子の直径は一般に0.2〜5μであること（第６０頁）、および、乳化物の分散粒子径が1〜約0.1μの場合、乳化物の外観は青白色を呈すること（第７５頁）が記載されている。
　
オ．甲第５号証（「化粧品製剤実用便覧」日光ケミカルズ株式会社、日本サ　　ーファクタント工業株式会社、昭和５７年５月２８日発行、第１３頁）
　一般に、HLBが10〜18のものはＯ／Ｗ乳化剤に適していること（ＨＬＢの項）、および、エマルション中の分散粒子の大きさは0.1〜数10μであること（エマルションの項）が記載されている。
　
カ．甲第６号証（特開昭６１−１８７７７７号公報）
　米糠糖化液および酒粕の混合物をアルコール発酵させて得られる発酵液の清澄、濃縮液からなる栄養液が記載されており（特許請求の範囲）、これに着香料等を添加して浴剤とすることができると記載されている（第１頁右下欄）。
　
キ．甲第７号証（特開平６−９２８３９号公報）
　油性成分、平均HLBが8〜14の少なくとも１種の非イオン界面活性剤および色素を含む粘度300cps以下の乳化型入浴剤組成物が記載されており（特許請求の範囲）、非イオン界面活性剤として、ポリオキシエチレンアルキルエーテルが開示されている（第３頁左欄）。
　
ク．甲第８号証（特願平８−２６２１１１号明細書）
　非イオン型界面活性剤と、分散安定剤としての多価アルコールを含み、油相成分が水相成分に分散されているエマルジョン型液体入浴剤であって、エマルジョン粒子の平均粒子径が0.1〜0.5μｍの範囲にあるものが記載されており（特許請求の範囲の請求項１）、非イオン性界面活性剤として、ステアリン酸ポリエチレングリコールが開示されている（第３頁右欄）。
　
（４）対比・判断
ア．本件発明１
　本件発明１と甲第１号証に記載の発明とを対比すると、甲第１号証に記載のマイクロエマルションは浴剤に使用できるとの示唆はあるものの、本件発明１を特定する事項である、「ポリオキシエチレンポリオキシプロピレンアルキルエーテルおよびポリオキシエチレンジステアリン酸エステルからなる群より選ばれる１種以上のＨＬＢが９〜１９である化合物を使用した、Ｏ／Ｗエマルジョンからなる食塩またはエタノールおよび食塩含有入浴剤用の白濁剤」という構成については、記載も示唆もないから、本件発明１は甲第１号証に記載された発明とはいえない。
　本件発明１と甲第１乃至４号証に記載の発明とを対比すると、甲第１乃至４号証に記載の発明は、いずれも本件発明１を特定する事項である、「ポリオキシエチレンポリオキシプロピレンアルキルエーテルおよびポリオキシエチレンジステアリン酸エステルからなる群より選ばれる１種以上のＨＬＢが９〜１９である化合物を使用した、Ｏ／Ｗエマルジョンからなる食塩またはエタノールおよび食塩含有入浴剤用の白濁剤」という事項を備えておらず、当該事項により、本件発明１は、５０〜６０℃の高温での保存安定性及び濁りの持続性の改善という顕著な効果を奏するものであるから、本件発明１が甲第１乃至４号証に記載のものから当業者が容易に発明をすることができたものとはいえない。
　本件発明１と甲第８号証に記載の発明を対比すると、両者は入浴剤用の白濁剤である点で差異はないが、使用する非イオン界面活性剤が、前者では「ポリオキシエチレンポリオキシプロピレンアルキルエーテルおよびポリオキシエチレンジステアリン酸エステルからなる群より選ばれる１種以上のＨＬＢが９〜１９である化合物」であるのに対し、後者では適宜のもので良いとされ、具体的には親水性基を有する高級脂肪酸エステル、より具体的にはステアリン酸ポリエチレングリコールである点で差異がある。そして、甲第８号証には、非イオン界面活性剤として、特に「ポリオキシエチレンポリオキシプロピレンアルキルエーテルおよびポリオキシエチレンジステアリン酸エステルからなる群より選ばれる１種以上のＨＬＢが９〜１９である化合物」を使用することについては記載がないので、本件発明１が甲第８号証に記載された発明と同一であるとすることはできない。
　申立人は、甲第２号証、甲第３号証及び甲第５号証を提出し、ポリオキシエチレンポリオキシプロピレンアルキルエーテルやポリオキシエチレンジステアリン酸エステルでＨＬＢが９〜１９のものは、非イオン界面活性剤として、周知のものと主張している。しかし、甲第２号証、甲第３号証及び甲第５号証を参酌して、ポリオキシエチレンポリオキシプロピレンアルキルエーテルやポリオキシエチレンジステアリン酸エステルでＨＬＢが９〜１９のものが、非イオン界面活性剤として周知であったといえたとしても、これらが、入浴剤用の白濁剤に使用する非イオン界面活性剤として、周知のものであったということまではいえない。
　
イ．本件発明２
　本件発明２と甲第１乃至４号証に記載の発明とを対比すると、甲第１乃至４号証に記載の発明は、本件発明２を特定する事項である、「ポリオキシアルキレンアルキルエーテルとポリオキシエチレン脂肪酸エステルとのＨＬＢが９〜１９である混合物を使用した、Ｏ／Ｗエマルジョンからなる食塩またはエタノールおよび食塩含有入浴剤用の白濁剤」という事項を備えておらず、上記ア．と同様の理由により、本件発明２は甲第１号証に記載された発明とはいえないし、本件発明２が甲第１乃至４号証に記載のものから当業者が容易に発明をすることができたものともいえない。
　本件発明２と甲第８号証に記載の発明を対比すると、両者は入浴剤用の白濁剤である点で差異はないが、使用する非イオン界面活性剤が、前者では「ポリオキシアルキレンアルキルエーテルとポリオキシエチレン脂肪酸エステルとのＨＬＢが９〜１９である混合物」である点で、後者のものと差異がある。したがって、上記ア．と同様の理由により、本件発明２が甲第８号証に記載された発明と同一であるとはいえない。
　
ウ．本件発明３
　本件発明３は、本件発明２を特定する事項を全て含み、さらに、混合物（Ａ）中のポリオキシエチレン脂肪酸エステルのポリオキシエチレン部分の分子量及び脂肪酸の炭素数に限定を付するものであるから、上記イ．と同様の理由より、本件発明３は甲第１号証に記載された発明とはいえないし、本件発明３が甲第１乃至４号証に記載のものから当業者が容易に発明をすることができたものともいえないし、また、甲第８号証に記載された発明と同一であるともいえない。
　
エ．本件発明４
　本件発明４と甲第１乃至４号証に記載の発明とを対比すると、甲第１乃至４号証に記載の発明は、本件発明４を特定する事項である、「ポリオキシエチレンジ脂肪酸エステルからなる群より選ばれる１種以上のＨＬＢが９〜１９である化合物を使用した、Ｏ／Ｗエマルジョンからなる食塩またはエタノールおよび食塩含有入浴剤用の白濁剤」という事項を備えておらず、上記ア．と同様の理由により、本件発明４は甲第１号証に記載された発明とはいえないし、本件発明４が甲第１乃至４号証に記載のものから当業者が容易に発明をすることができたものともいえない。
　本件発明４と甲第８号証に記載の発明を対比すると、両者は入浴剤用の白濁剤である点で差異はないが、使用する非イオン界面活性剤が、前者では「ポリオキシエチレンジ脂肪酸エステルからなる群より選ばれる１種以上のＨＬＢが９〜１９である化合物」である点で、後者のものと差異がある。したがって、上記ア．と同様の理由により、本件発明４が甲第８号証に記載された発明と同一であるとはいえない。
　
オ．本件発明５乃至７
　本件発明５は、本件発明１乃至４を特定する事項を全て含み、さらに、食塩またはエタノールおよび食塩を必須成分とする入浴剤であり、本件発明６乃至７は、いずれも本件発明５中のエタノール成分を限定するものであるから、上記ア．乃至エ．と同様の理由により、本件発明５乃至７は甲第１号証に記載された発明とはいえないし、本件発明５乃至７が甲第１乃至４号証に記載のものから当業者が容易に発明をすることができたものともいえないし、また、甲第８号証に記載された発明と同一であるともいえない。
　
（５）むすび
　以上のとおりであるから、特許異議申立ての理由及び証拠によっては、本件発明１乃至７に係る特許を取り消すことができない。
　また、他に本件発明１乃至７に係る特許を取り消すべき理由を発見しない。
　よって、結論のとおり決定する。
【異議決定日】
平成１５年７月２４日（２００３．７．２４）
【訂正の要旨】
審決（決定）の【理由】欄参照。
（５４）【発明の名称】
入浴剤用白濁剤および入浴剤
（５７）【特許請求の範囲】
　【請求項１】　ポリオキシエチレンポリオキシプロピレンアルキルエーテル（Ａ１１）およびポリオキシエチレンジステアリン酸エステル（Ａ３１）からなる群より選ばれる１種以上のＨＬＢが９〜１９である化合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルジョンからなり、メディアン径が０．１〜０．６μｍであり、該エマルジョンの体積基準での粒子径分布において、０．５μｍ以上の粒子の含有率が６０％以下であり、１．０μｍ以上の粒子の含有率が３０％以下であることを特徴とする食塩またはエタノールおよび食塩含有入浴剤用の白濁剤。
　【請求項２】　ポリオキシアルキレンアルキルエーテル（Ａ１）とポリオキシエチレン脂肪酸エステル（Ａ３）とのＨＬＢが９〜１９である混合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であることを特徴とするエタノールおよび／または食塩含有入浴剤用の白濁剤。
　【請求項３】　該ポリオキシエチレン脂肪酸エステル（Ａ３）中のポリオキシエチレン部分の分子量が１０００〜５０００で、脂肪酸の炭素数が１２〜２２である請求項２記載の白濁剤。
　【請求項４】　ポリオキシエチレンジ脂肪酸エステル（Ａ３）からなる群より選ばれる１種以上のＨＬＢが９〜１９である化合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルジョンからなり、メディアン径が０．１〜０．６μｍであり、該エマルジョンの体積基準での粒子径分布において、０．５μｍ以上の粒子の含有率が６０％以下であり、１．０μｍ以上の粒子の含有率が３０％以下であり、（Ａ３）中のポリオキシエチレン部分の分子量が１０００〜５０００で、脂肪酸の炭素数が１２〜２２である白濁剤であって、６０℃の高温でも安定な食塩またはエタノールおよび食塩含有入浴剤用の白濁剤。
　【請求項５】　請求項１〜４のいずれか記載の白濁剤と、食塩またはエタノールおよび食塩を必須成分とすることを特徴とする入浴剤。
　【請求項６】　該エタノールが、米発酵エキスおよび／または米糠発酵エキスに含まれるエタノールである請求項５記載の入浴剤。
　【請求項７】　該エタノールが、薬効エキス抽出液に含まれるエタノールである請求項５記載の入浴剤。
【発明の詳細な説明】
　【０００１】
　【発明の属する技術分野】
　本発明はエタノールおよび／または食塩含有入浴剤用の白濁剤および入浴剤に関する。
　【０００２】
　【従来の技術】
　温泉のような視覚効果を与えるために入浴剤に白濁剤を含有するものは多く存在している。一般には炭酸カルシウム、酸化チタン等の無機塩を含有する粉末タイプの製品が主流である。しかしながら、このような粉末タイプの入浴剤は吸湿などで取り扱いが面倒なことや、小袋に取り分けられていて使用直前に小袋の封を切らねばならない等の使用上の煩雑さが問題である。これらの取り扱い性を改良するものとして、液状タイプの入浴剤も開発されている。液状タイプの入浴剤に白濁剤として無機塩類を含有する物は無機塩の沈降などが生じ、使用前に良く振って使用しなければならないという問題がある。
　白濁成分としてＯ／Ｗエマルションを含有する液状タイプは、これらの煩雑さを解消することが可能であり、Ｏ／Ｗエマルションを含有する液状タイプとしては例えば特開平６−８０５５６号公報には米胚芽油及びシリコーン油、油性成分に界面活性剤等を加え白濁効果をだすものなどが知られている。しかしながら、入浴剤の成分として、米発酵エキス、米糠発酵エキスまたは生薬等から溶媒抽出等で得られた薬効エキスのように、エタノール等を含有させた場合には、５０〜６０℃の高温で分離するという問題がある。また、入浴剤の成分として、食塩を多量に含有させた場合も同様に５０〜６０℃の高温で分離するなどの問題があり、エタノールや食塩を配合させた場合においても、高温安定性に優れるＯ／Ｗエマルションタイプの白濁剤が望まれている。さらに、濁りの持続時間の長い白濁剤が望まれている。
　【０００３】
　【発明が解決しようとする課題】
　本発明の目的は、エタノールや食塩が配合された場合においても、５０〜６０℃の高温での保存安定性に優れ、濁りの持続性の高い入浴剤を得るための白濁剤；およびこれを必須成分とする入浴剤に関する。
　【０００４】
　【課題を解決するための手段】
　本発明者らは、上記目的を達成するため鋭意検討をした結果、本発明に到達した。
　【０００５】
　すなわち本発明は、ポリオキシエチレンポリオキシプロピレンアルキルエーテル（Ａ１１）およびポリオキシエチレンジステアリン酸エステル（Ａ３１）からなる群より選ばれる１種以上のＨＬＢが９〜１９である化合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であることを特徴とする食塩またはエタノールおよび食塩含有入浴剤用の白濁剤（第１発明）；ポリオキシアルキレンアルキルエーテル（Ａ１）とポリオキシエチレン脂肪酸エステル（Ａ３）とのＨＬＢが９〜１９である混合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であることを特徴とするエタノールおよび／または食塩含有入浴剤用の白濁剤（第２発明）；ポリオキシエチレンジ脂肪酸エステル（Ａ３）からなる群より選ばれる１種以上のＨＬＢが９〜１９である化合物（Ａ）、多価アルコール（Ｂ）、油性成分（Ｃ）および水（Ｄ）からなり、（Ａ）が１〜１０重量％、（Ｂ）と（Ｃ）の合計が４０〜９０重量％で、（Ｂ）と（Ｃ）の重量比率が３：１〜１：３であり、（Ｄ）が５〜５０重量％であるＯ／Ｗエマルションからなり、メディアン径が０．１〜０．６μｍであり、該エマルションの体積基準での粒子径分布において、０．５μｍ以上の粒子の含有率が６０％以下であり、１．０μｍ以上の粒子の含有率が３０％以下であり、（Ａ３）中のポリオキシエチレン部分の分子量が１０００〜５０００で、脂肪酸の炭素数が１２〜２２である白濁剤であって、６０℃の高温でも安定な食塩またはエタノールおよび食塩を必須成分とした入浴剤用の白濁剤（第３発明）；およびこれらの白濁剤のいずれかと食塩またはエタノールおよび食塩を必須成分とする入浴剤（第４発明）である。
　【０００６】
　【発明の実施の形態】
　本発明の第１発明、第２発明および第３発明である入浴剤用白濁剤は、体積基準でメディアン径は、通常は０．１〜０．６μｍであり、好ましくは０．２〜０．５μｍである。このメディアン径はレーザー回折法で測定したものである。メディアン径が０．１μｍ未満であると、透過率が高くなり、濁り性能が弱まる。一方、メディアン径が０．６μｍを超えると、エタノールや食塩を配合した入浴剤の高温（５０〜６０℃）での保存安定性が悪く分離しやすくなる。
　粒径分布において、０．５μｍ以上の粒子の含有率は通常は６０％以下であり、好ましくは５０％以下である。この粒径分布はレーザー回折法で測定したものである。０．５μｍ以上の粒子が６０％を超えると、エタノールや食塩を配合した入浴剤の高温（５０〜６０℃）での保存安定性が悪く分離し易くなる。１．０μｍ以上の粒子の含有率は通常は３０％以下であり、好ましくは１０％以下である。１．０μｍ以上の粒子が３０％を超えると、エタノールや食塩を配合した入浴剤の高温（５０〜６０℃）での保存安定性が悪く分離し易くなる。
　【０００７】
　本発明のＯ／Ｗエマルションからなる入浴剤用白濁剤を得るには、ポリオキシエチレンポリオキシプロピレンアルキルエーテル（Ａ１１）およびポリオキシエチレンジステアリン酸エステル（Ａ３１）からなる群より選ばれる１種以上のＨＬＢが９〜１９である化合物（Ａ）、ポリオキシアルキレンアルキルエーテル（Ａ１）とポリオキシエチレン脂肪酸エステル（Ａ３）とのＨＬＢが９〜１９である混合物（Ａ）、またはポリオキシエチレンジ脂肪酸エステル（Ａ３）からなる群より選ばれる１種以上のＨＬＢが９〜１９である化合物（Ａ）であって（Ａ３）中のポリオキシエチレン部分の分子量が１０００〜５０００で脂肪酸の炭素数が１２〜２２である（Ａ）、多価アルコール（Ｂ）、油性成分（Ｃ）および水（Ｄ）の各成分からなるＯ／Ｗエマルションが使用される。
　【０００８】
　本発明における（Ａ）には、ポリオキシエチレンポリオキシプロピレンアルキルエーテル（Ａ１１）およびポリオキシエチレンジステアリン酸エステル（Ａ３１）からなる群より選ばれる１種以上のＨＬＢが９〜１９である化合物、ポリオキシアルキレンアルキルエーテル（Ａ１）とポリオキシエチレン脂肪酸エステル（Ａ３）とのＨＬＢが９〜１９である混合物、並びにポリオキシエチレンジ脂肪酸エステル（Ａ３）からなる群より選ばれる１種以上のＨＬＢが９〜１９である化合物（Ａ）であって（Ａ３）中のポリオキシエチレン部分の分子量が１０００〜５０００で脂肪酸の炭素数が１２〜２２である（Ａ）が含まれる。
　【０００９】
　ポリオキシアルキレンアルキルエーテル（Ａ１）としては、脂肪族もしくは脂環族アルコールのアルキレンオキサイド付加物である。アルキレンオキサイドとしては、エチレンオキサイド（ＥＯ）、プロピレンオキサイド（ＰＯ）、およびこれらの併用が挙げられ、好ましくはＥＯ単独およびＥＯとＰＯの併用である。併用の場合はブロック付加、ランダム付加のいずれでもよいが、ブロック付加が好ましい。
　具体例としては、ポリオキシエチレンポリオキシプロピレンデシルテトラデシルエーテル（デシルテトラデシルアルコールのＰＯとＥＯのブロック付加物）、ポリオキシエチレンポリオキシプロピレンステアリルエーテル、ポリオキシエチレンポリオキシプロピレンセチルエーテル、ポリオキシエチレンポリオキシプロピレンラウリルエーテル、ポリオキシエチレンポリオキシプロピレンブチルエーテル、ポリオキシエチレンポリオキシプロピレンオクチルドデシルエーテル等のポリオキシエチレンポリオキシプロピレンアルキルエーテル類；ポリオキシエチレンラウリルエーテル、ポリオキシエチレンセチルエーテル、ポリオキシエチレンオレイルエーテル等のポリオキシエチレンアルキルエーテル類が挙げられる。これらのうち、ポリオキシエチレンポリオキシプロピレンアルキルエーテルが好ましい。
　ポリオキシエチレンの付加モル数は１５〜４０モルが好ましく、ポリオキシプロピレンの付加モル数は、通常０〜１５、好ましくは５〜１０モルである。ポリオキシエチレンの付加モル数が１５モル未満または４０モルを超える場合、およびポリオキシプロピレンの付加モル数が１５モルを超える場合は、エタノールや食塩を配合した入浴剤の高温（５０〜６０℃）での保存安定性が悪く分離し易くなる。
　【００１０】
　【００１１】
　ポリオキシエチレン脂肪酸エステル（Ａ３）の具体例としては、ポリオキシエチレンモノステアリン酸エステル、ポリオキシエチレンモノオレイン酸エステル、ポリオキシエチレンジラウリン酸エステル、ポリオキシエチレンジステアリン酸エステル、ポリオキシエチレンジオレイン酸エステル、ポリオキシエチレンジベヘニン酸エステル等が挙げられる。
　脂肪酸としては炭素数１２〜２２のものが好ましい。
　ポリオキシエチレン骨格の分子量は１０００〜５０００が好ましい。ポリオキシエチレン骨格の分子量が１０００未満であると、エタノールや食塩が配合された入浴剤の高温（５０℃〜６０℃）での配合安定性が悪く、僅かに分離がみられる。分子量が５０００を超えると、エタノールや食塩が配合された入浴剤の高温での保存安定性で、５０℃では分離しないが、６０℃では僅かに分離する。
　【００１２】
　これらの化合物（Ａ）のうち、好ましくは（Ａ１）、（Ａ３）、および（Ａ１）と（Ａ３）の併用であり、さらに好ましくは、（Ａ１）のうちのポリオキシエチレンポリオキシプロピレンアルキルエーテル、（Ａ３）のうちの脂肪酸の炭素数が１２〜２２のポリオキシエチレン脂肪酸エステル、およびこれらの併用である。ポリオキシエチレンポリオキシプロピレンアルキルエーテルのアルキレンオキサイドはブロック付加、ランダム付加のいずれでもよい。
　特に好ましいのは、ポリオキシエチレンポリオキシプロピレンデシルテトラデシルエーテルとポリオキシエチレンジステアリン酸エステルである。
　【００１３】
　本発明において、ＨＬＢはグリフィンの式から計算される（例えば、▲１▼藤本武彦著、「新界面活性剤入門」、１２７〜１３２頁（１９９２年）、三洋化成工業発行；▲２▼小田、寺村著、「界面活性剤の合成と其応用」、４９２、４９３、５０１頁（１９５７年）、槙書店発行に記載）。なお、グリフィンの式は、ポリオキシエチレン鎖以外のポリオキシアルキレン鎖を持つ非イオン界面活性剤への適用はできないと通常されているが、本発明においては、ポリオキシエチレン鎖部分のみを親水基とし、これ以外のポリオキシプロピレン鎖などのポリオキシアルキレン鎖は疎水基として計算するものとする。
　本発明で用いる化合物（Ａ）またはこれらの混合物のＨＬＢは通常９〜１９、好ましくは１０〜１８である。２種以上の化合物（Ａ）を併用する場合は、それぞれのＨＬＢが範囲外のものを組み合わせてもその混合物のＨＬＢが９〜１９であれば差し支えない。９未満ではエタノールや食塩が配合された入浴剤の５０〜６０℃の安定性が低下し、分離し易くなる。１９を超えると乳化できず、安定な白濁剤が製造できない。
　【００１４】
　本発明で用いる多価アルコール（Ｂ）としては、２価アルコール（プロピレングリコール、ジプロピレングリコール、ポリプロピレングリコール、エチレングリコール、ポリオキシエチレングリコール、１，２−、１，３−および１，４−ブチレングリコール、２−エチルヘキサンジオールなど、およびこれらのアルキレンオキサイド付加物）；３価アルコール（グリセリン、トリメチロールプロパン、およびこれらのアルキレンオキサイド付加物など）；４価アルコール以上の多価アルコールとしては、グルコース、ショ糖、ソルビット、ペンタエリスリトールなど、およびこれらのアルキレンオキサイド付加物）が挙げられ、これらは、２種以上の混合物として用いてもよい。これらのうち、好ましくはプロピレングリコール、ジプロピレングリコール、グリセリンであり、特に好ましくはコスト、使用性の面からみてプロピレングリコールである。
　【００１５】
　本発明で用いる油性成分（Ｃ）としてはオリーブ油、ツバキ油、ヒマシ油等の油脂類；カルナバロウ、ホホボ油、ミツロウ、ラノリン等のロウ類；流動パラフィン、パラフィン、ワセリン、セレシン、マイクロクリスタンワックス、スクワラン等の炭化水素類；ラウリン酸、ミリスチン酸、パルミチン酸、ステアリン酸、イソステアリン酸等の高級脂肪酸類；ラウリルアルコール、ミリスチルアルコール、セチルアルコール、ステアリルアルコール、オレイルアルコール、イソステアリルアルコール等の高級アルコール類；ミリスチン酸イソプロピル、ミリスチン酸オクチルドデシル、パルミチン酸イソプロピル、アジピン酸イソプロピル、ステアリン酸ブチル、オレイン酸デシル等のエステル類が挙げられる。これらの中でも好ましくはコスト、入浴後のしっとり性の面から見て１０〜８０ｃｓｔの流動パラフィンである。
　【００１６】
　本発明の入浴剤用白濁剤のＯ／Ｗエマルションは、ＨＬＢが９〜１９の化合物（Ａ）、多価アルコール（Ｂ）、油性成分（Ｃ）および水（Ｄ）からなるるが、これらの比率は、通常、（Ａ）が１〜１０重量％、（Ｂ）と（Ｃ）の合計が４０〜９０重量％、（Ｄ）が５〜５０重量％である。
　（Ａ）の含有率が多い方がエマルションの粒子径が小さくなり、エタノールや食塩が配合された入浴剤の高温での保存安定性が良好となる白濁剤を得ることができる。１％未満ではエマルションの粒子径が大きくなり、入浴剤の高温安定性が悪くなる。
　（Ｂ）と（Ｃ）の合計が４０％未満の場合は、入浴剤にした場合の濁り性が弱く、９０％を超える場合は白濁剤の粘度が高く、入浴剤を製造する際の取り扱いが煩雑になる。
　（Ｄ）が５％未満では機械乳化時の白濁剤の安定性が悪く、５０％を超えると濁り性が劣る。
　【００１７】
　（Ｂ）と（Ｃ）の重量比は、通常３：１〜１：３であり、（Ｂ）の比率が大きいほどエマルションの粒子径が小さくなり入浴剤の安定性が良好となる。（Ｂ）の比率が小さくなると（Ｃ）が分離する。好ましくは（Ｂ）と（Ｃ）の比が１：１〜１：３である。
　【００１８】
　本発明における白濁剤のエマルションの作成方法としては、転相乳化法、Ｄ相乳化法等の何れでもよい。好ましくはＤ相乳化法が最も効率的に粒子径の小さいＯ／Ｗエマルションを作成することができる。また、ホモミキサーや高圧ホモジナイザーなどの乳化装置を用い、装置条件（圧力、撹拌の回転速度など）を設定することにより、粒子径を小さくし、粒子径分布を調整することができる。
　【００１９】
　また、本発明のうちの第４発明は入浴剤に関し、前述の白濁剤と食塩またはエタノールおよび食塩を必須成分とする入浴剤である。従来の白濁剤は、エタノールや食塩が系内に含まれていると、高温での保存安定性に問題があったが、この問題点が解決されたものである。
　本発明のエタノールは特に限定されず、例えば、米発酵エキスまたは米糠発酵エキスに含まれるエタノール；生薬類から薬効エキスを抽出するために用いたエタノール；穀物から醸造して得られた各種酒類（焼酎、スピリット類等）が挙げられる。
　【００２０】
　本発明の入浴剤に配合できる米発酵エキスまたは米糠発酵エキスは、通常米または米糠を酵素により糖化し、これに酵母等を添加し、発酵して得られた発酵生成物を圧搾濾過し加熱することによって得られるものである。通常、上記米発酵エキスまたは米糠発酵エキスには１８〜２２％のエタノールが含まれる。
　【００２１】
　本発明の入浴剤に配合できる薬効エキスとしては、ウイキョウ、オウバク、カミツレ、桂皮、紅花、芍薬、菖蒲、センキュウ、人参等の生薬をエタノールで抽出した薬効エキス抽出液が挙げられるが、その薬効成分は特に限定されない。
　【００２２】
　本発明の入浴剤は、通常、本発明の白濁剤を５〜５０重量％、エタノール（純分換算）を５〜３０重量％、食塩を０〜１０重量％、水０〜９０重量％を含有する。
　【００２３】
　本発明の入浴剤は、エタノール以外に本入浴剤の高温安定性に悪影響を与えない範囲で、従来から入浴剤に用いられる無機塩類、無機酸類、有機酸類、界面活性剤等と配合することができるが、配合できる成分は例示されたものに限定されない。
　【００２４】
　無機塩類としては前述した食塩以外に加える物で、例えば炭酸水素ナトリウム、炭酸ナトリウム、ホウ酸、硫酸ナトリウム、硫化ナトリウム、セスキ炭酸ナトリウム、硝酸ナトリウム、チオ硫酸ナトリウム、ポリリン酸ナトリウム、リン酸ナトリウム、酸化カルシウム、酸化マグネシウム、炭酸カルシウム、炭酸マグネシウム、塩化カリウム、および硫化カリウム等が挙げられる。
　【００２５】
　無機酸類としてはホウ酸、メタケイ酸および無水ケイ酸等が挙げられる。
　【００２６】
　有機酸類としてはコハク酸、フマル酸、リンゴ酸、酒石酸、クエン酸および安息香酸等が挙げられる。
　【００２７】
　界面活性剤としては、陰イオン界面活性剤、陽イオン界面活性剤、（Ａ）以外の非イオン界面活性剤、両性界面活性剤およびシリコーン系界面活性剤等が挙げられる。
　【００２８】
　その他、香料、色素および防腐剤等の製剤上必要な成分を配合させてもよい。
　【００２９】
　本発明の入浴剤用白濁剤は前記必須成分に前記任意成分を必要に応じて配合して製造される。
　【００３０】
　本発明の入浴剤は、どのような使い方をしてもよいが、通常、お湯２００リットルに対して本発明の入浴剤を１０〜１００グラム用いる。
　【００３１】
　【実施例】
　以下実施例により本発明をさらに説明するが本発明はこれに限定されるものではない。
　なお、例えば実施例１のデシルテトラデシルエーテル（ＰＯ）６（ＥＯ）３０は、デシルテトラデシルアルコールのプロピレンオキサイド６モルとエチレンオキサイド３０モルのブロック付加物を表す。
　【００３２】
実施例１
　デシルテトラデシルエーテル（ＰＯ）６（ＥＯ）３０（ＨＬＢ＝１３．１）１０ｇ、ジステアリン酸ポリエチレングリコール２０００（ポリエチレングリコール部分子量２０００）（ＨＬＢ＝１５．６）２０ｇにプロピレングリコール２００ｇを加え、湯浴にて７０℃に加熱し溶解させた。撹拌下で流動パラフィン４５０ｇを加えた。ついで水を加えて全量を１０００ｇにし、均一に撹拌した。これを高圧ホモジナイザーで処理しＯ／Ｗエマルション（白濁剤）１０００ｇを得た。
　このＯ／Ｗエマルション３０ｇと米発酵エキス７０ｇを均一に配合して試液１（入浴剤）を作成した。なお、（Ａ）成分のＨＬＢは１４．８であった。
　この試液の室温で６０日間、５０℃で３０日間および６０℃で７日間の安定性を評価した。
　【００３３】
実施例２
　実施例１において、ジステアリン酸ポリエチレングリコール２０００の代わりに、ジステアリン酸ポリエチレングリコール４０００（ポリエチレングリコール部分子量４０００）（ＨＬＢ＝１７．５）を用いる以外は同様にして、試液２を作成した。なお、（Ａ）成分のＨＬＢは１６．０であった。
　【００３４】
実施例３
　実施例１において、ジステアリン酸ポリエチレングリコール２０００を２０ｇ用いる代わりに、ジステアリン酸ポリエチレングリコール６０００（ポリエチレングリコール部分子量６０００）（ＨＬＢ＝１８．３）を４０ｇ用いる以外は同様にして、試液３を作成した。なお、（Ａ）成分のＨＬＢは１７．３であった。
　【００３５】
実施例４
　実施例１において、ジステアリン酸ポリエチレングリコール２０００を２０ｇ用いる代わりに、ジステアリン酸ポリエチレングリコール３００（ポリエチレングリコール部分子量３００）（ＨＬＢ＝６．９）を２０ｇ用いる以外は同様にして、試液４を作成した。なお、（Ａ）成分のＨＬＢは９．０であった。
　【００３６】
実施例５
　実施例２において、得られたＯ／Ｗエマルション３０ｇを水５０ｇとエタノール２０ｇと均一に配合する以外は同様にして、試液５を作成した。なお、（Ａ）成分のＨＬＢは１６．０であった。
　【００３７】
実施例６
　実施例２において、得られたＯ／Ｗエマルション３０ｇを水６０ｇと食塩１０ｇと均一に配合する以外は同様にして、試液６を作成した。なお、（Ａ）成分のＨＬＢは１６．０であった。
　【００３８】
実施例７
　実施例２において、得られたＯ／Ｗエマルション３０ｇをエタノール濃度３０重量％とした米発酵エキス７０ｇと均一に配合する以外は同様にして、試液７を作成した。なお、（Ａ）成分のＨＬＢは１６．０であった。
　【００３９】
実施例８
　実施例２において、デシルテトラデシルエーテル（ＰＯ）６（ＥＯ）３０を用いる代わりにデシルテトラデシルエーテル（ＰＯ）５（ＥＯ）３５（ＨＬＢ＝１４．１）を用いる以外は同様にして、試液８を作成した。なお、（Ａ）成分のＨＬＢは１６．４であった。
　【００４０】
実施例９
　実施例２において、デシルテトラデシルエーテル（ＰＯ）６（ＥＯ）３０を用いる代わりにステアリルエーテル（ＰＯ）１０（ＥＯ）２０（ＨＬＢ＝１０．２）を用いる以外は同様にして、試液９を作成した。なお、（Ａ）成分のＨＬＢは１５．１であった。
　【００４１】
実施例１０
　実施例２において、デシルテトラデシルエーテル（ＰＯ）６（ＥＯ）３０を１０ｇ用いる代わりに、ポリオキシエチレンノニルフェニルエーテル８８０（ポリエチレングリコール部分子量８８０）（ＨＬＢ＝１６．０）２０ｇを用いる以外は同様にして、試液１０を作成した。なお、（Ａ）成分のＨＬＢは１６．８であった。
　【００４２】
実施例１１
　実施例２において、デシルテトラデシルエーテル（ＰＯ）６（ＥＯ）３０を１０ｇ用いる代わりに、オクチルドデシルエーテル（ＰＯ）５（ＥＯ）２０（ＨＬＢ＝１２．０）を２０ｇを用いる以外は同様にして、試液１１を作成した。なお、（Ａ）成分のＨＬＢは１４．８であった。
　【００４３】
実施例１２
　実施例２において、デシルテトラデシルエーテル（ＰＯ）６（ＥＯ）３０を用ず、ジステアリン酸ポリエチレングリコール４０００を５０ｇのみ用い、流動パラフィンの量を６００ｇに変更する以外は同様にして、試液１２を作成した。なお、（Ａ）成分のＨＬＢは１７．５であった。
　【００４４】
比較例１
　実施例２において、デシルテトラデシルエーテル（ＰＯ）６（ＥＯ）３０を１０ｇ用いる代わりに５ｇを用い、ジステアリン酸ポリエチレングリコール４０００を２０ｇ用いる代わりにジラウリン酸ポリエチレングリコール２００（ポリエチレングリコール部分子量２００）（ＨＬＢ＝６．６）を４５ｇ用いる以外は同様にして、比較試液１を作成した。なお、（Ａ）成分のＨＬＢは７．３であった。
　【００４５】
比較例２
　比較例１において、デシルテトラデシルエーテル（ＰＯ）６（ＥＯ）３０を用いず、ジラウリン酸ポリエチレングリコール２００を４５ｇ用いる代わりに５０ｇ用い、プロピレングリコールの量を１５０ｇ、流動パラフィンの量を５５０ｇに変更する以外は同様にして、比較試液２を作成した。なお、（Ａ）成分のＨＬＢは６．６であった。
　【００４６】
比較例３
　比較例１において、得られたＯ／Ｗエマルション３０ｇを水６０ｇと食塩１０ｇと均一に配合する以外は同様にして、比較試液３を作成した。なお、（Ａ）成分のＨＬＢは７．３であった。
　【００４７】
　表１と表２に実施例１〜１２と比較例１〜３の試液（入浴剤）のメディアン径、０．５μｍ以上と１．０μｍ以上の粒子径分布の測定結果、高温での安定性（６０℃×７日間と５０℃×３０日間）、および濁りの持続性の評価結果を示す。　粒子径分布はレーザー回折粒度測定装置（マイクロトラック社製Ｘ−１００）を用いて測定した。
＜高温安定性＞
　高温での安定性の評価は６０℃×７日間と５０℃×３０日間の２つの条件で静置保管し、外観の目視、および一旦上下を逆にし、戻す程度の軽い振盪後の状態で判断した。
　　◎：均一で分離認められない
　　○：わずかに分離、軽く振ると均一になる
　　△：かなり分離するが、軽く振ると均一になる
　　×：かなり分離し、軽く振っても均一にならない
＜濁り持続性＞
　２００Ｌのお湯（温度４０〜５０℃）に本入浴剤６０ｍｌを入れ、６時間後のその濁りの程度を目視判定した。
　　◎：投入直後と６時間後の濁りの程度に差なし。
　　○：投入後３時間目から濁りが若干薄くなる。
　　△：投入後１時間目から濁りが薄くなる。
　　×：投入後３０分以内に濁りが薄くなる。
　【００４８】
　【表１】
　【００４９】
　【表２】
　【００５０】
　【発明の効果】
　本発明の入浴剤用白濁剤を含有する入浴剤は、エタノールや食塩が配合された場合でも、５０〜６０℃の高温での保存安定性に優れるという効果を奏する。
　その他に次のような効果を奏する。
　（１）液状であり、取り扱いが容易である。
　（２）保湿効果に優れる。
　（３）使用後の浴槽の水を洗濯に使用できる。
　（４）皮膚に対して刺激性が少ない。
　（５）従来の入浴剤に比べ濁りのもちが良い。